(57)【要約】【課題】器具本体のサイズを大きくすることなく複数の配光パターンを実現することができる照明器具を提供することを目的とする。【解決手段】この照明器具は、光源１と、光源１からの光を透過させる板状の配光部材２と、光源１と配光部材２の相互の配置関係を変化させる駆動部３とを備え、配光部材２は屈折方向が異なるプリズム４を複数備え、駆動部３が駆動することにより光源１からの光が配光部材２において透過するプリズム４を変えることで光の照射方向を変化させるものであることを特徴とする。配光部材及び駆動部を複数備える必要がないため構造が簡単になるという効果がある。これにより、器具本体のサイズを大きくすることなく複数の配光パターンを実現することができる。【選択図】図１
2012094306.tif 000002
【特許請求の範囲】
【請求項１】
光源と、
前記光源からの光を透過させる板状の配光部材と、
前記光源と前記配光部材の相互の配置関係を変化させる駆動部とを備え、
前記配光部材は屈折方向が異なるプリズムを複数備え、
前記駆動部が駆動することにより前記光源からの光が前記配光部材において透過するプリズムを変えることで光の照射方向を変化させるものであることを特徴とする照明器具。
【請求項２】
前記配光部材は前記プリズムの配置パターンが異なるレンズ部を複数有し、
前記駆動部により前記配光部材を変位させ前記レンズ部を切り替えることで光の照射方向を変化させるものであることを特徴とする請求項１に記載の照明器具。
【請求項３】
前記配光部材を略円筒形にしてその円筒周方向に前記複数のレンズ部を配設するとともに、
その中心軸まわりに回動自在とし、
前記光源を前記配光部材の内側に設け、
前記配光部材を回動させることで前記レンズ部を切り替えるものであることを特徴とする請求項２記載の照明器具。
【請求項４】
前記配光部材を略円盤形にしてその円盤周方向に前記複数のレンズ部を配設するとともに、
その中心軸まわりに回動自在とし、
前記配光部材を回動させることで前記レンズ部を切り替えるものであることを特徴とする請求項２に記載の照明器具。
【請求項５】
前記駆動部により前記光源を変位させることで前記光源からの光が前記配光部材において透過するプリズムを変えるものであることを特徴とする請求項１に記載の照明器具。
【請求項６】
前記駆動部はモーターからなり、
前記モーターの駆動に伴い前記光源を消灯し前記モーターの停止に伴い前記光源を点灯させるものであることを特徴とする請求項１乃至５のいずれか１項に記載の照明器具。
【発明の詳細な説明】
【技術分野】
【０００１】
本願発明は、照明器具に関するものである。
【背景技術】
【０００２】
照明器具の配光を変える手段としてはレンズ等の配光部材をモーター等の駆動系により移動、回転させる方法が考えられる。例えば、特開平５−１４４３１０号公報（特許文献１）である。
【０００３】
この従来例は光源とプリズムとモーターからなる。プリズムをモーターで回動させるだけで光源からの光の照射方向の変化の向きを一方向に動かすことができる。
【０００４】
また特開２００９−５４３２２号公報（特許文献２）に示されるように配光を自由な方向に可変することが容易な照明器具も提案されている。この従来例は面状光源と、複数の配光部材と、器具本体等からなる。各配光部材は互いに独立して発光面と平行な面に沿って回動自在であり、その厚み方向が光軸に沿って配置されている。配光部材の光射出面には断面形状が二等辺三角形状若しくは鋸歯状のプリズムが複数併設されており、配光部材を回動させるだけで面状光源からの光の照射方向を容易に可変する。
【先行技術文献】
【特許文献】
【０００５】
【特許文献１】特開平５−１４４３１０号公報
【特許文献２】特開２００９−５４３２２号公報
【発明の概要】
【発明が解決しようとする課題】
【０００６】
しかしながら上記特許文献１に示された照明器具では光の照射方向の変化の向きを他方向に動かすことはできなかった。また、上記特許文献２に示された従来の照明器具は複数の配光パターンを実現することができるものの、配光部材を複数搭載しているため、複雑な構造となる。さらに、回動のためにモーター等を用いる場合、複数の駆動系も必要となり、器具本体のサイズが大きくなる虞があった。
【０００７】
本願発明は、上記背景技術に鑑みて発明されたもので、器具本体のサイズを大きくすることなく複数の配光パターンを実現することができる照明器具を提供することを目的とする。
【課題を解決するための手段】
【０００８】
本願発明の照明器具は、光源と、前記光源からの光を透過させる板状の配光部材と、前記光源と前記配光部材の相互の配置関係を変化させる駆動部とを備え、前記配光部材は屈折方向が異なるプリズムを複数備え、前記駆動部が駆動することにより前記光源からの光が前記配光部材において透過するプリズムを変えることで光の照射方向を変化させるものであることを特徴とする。
【０００９】
この照明器具においては、前記配光部材は前記プリズムの配置パターンが異なるレンズ部を複数有し、前記駆動部により前記配光部材を駆動させ前記レンズ部を切り替えることで光の照射方向を変化させるものであることが好ましい。
【００１０】
この照明器具においては、前記配光部材を略円筒形にしてその円筒周方向に前記複数のレンズ部を配設するとともにその中心軸まわりに回動自在とし、前記光源を前記配光部材の内側に設け、前記配光部材を回動させることで前記レンズ部を切り替えるものであることが好ましい。
【００１１】
この照明器具においては、前記配光部材を略円盤形にしてその円盤周方向に前記複数のレンズ部を配設するとともにその中心軸まわりに回動自在とし、前記配光部材を回動させることで前記レンズ部を切り替えるものであることが好ましい。
【００１２】
この照明器具においては、前記駆動部により前記光源を駆動させることで前記光源からの光が前記配光部材において透過するプリズムを変えるものであることが好ましい。
【００１３】
この照明器具においては、前記駆動部はモーターからなり、前記モーターの駆動に伴い前記光源を消灯し前記モーターの停止に伴い前記光源を点灯させるものであることが好ましい。
【発明の効果】
【００１４】
本願発明の照明器具は、配光部材及び駆動部を複数備える必要がないため構造が簡単になるという効果がある。これにより、器具本体のサイズを大きくすることなく複数の配光パターンを実現することができる。
【図面の簡単な説明】
【００１５】
【図１】本願発明の実施形態１である照明器具の全体を示す斜視図（ａ）と正面図（ｂ）。
【図２】実施形態１に用いる配光部材２を平板状にのばした場合の模式図。
【図３】図２のa１、a２、b、c１、c２における前記配光部材２の断面図。
【図４】実施形態１である照明器具の動作時における、床面９上の光の移動の様子を表す模式図。
【図５】本願発明の実施形態２である照明器具の全体を示す斜視図（ａ）と正面図（ｂ）。
【図６】実施形態２に用いる配光部材２の模式図。
【図７】図６のa１、a２、b、c１、c２における前記配光部材２の断面図。
【図８】実施形態２である照明器具の動作時における、床面９上の光の移動の様子を表す模式図。
【図９】本願発明の実施形態３である照明器具の全体を示す斜視図（ａ）と光源１の拡大図（ｂ）。
【図１０】実施形態３に用いる配光部材２の模式図。
【図１１】図１０のaにおける前記配光部材２の断面図。
【図１２】実施形態３である照明器具の動作時における、床面９上の光の移動の様子を表す模式図。
【図１３】本願発明の実施形態４である照明器具の全体を示す斜視図（ａ）と正面図（ｂ）。
【図１４】実施形態４に用いる配光部材２を平板状にのばした場合の模式図。
【図１５】図１４のa１、a２、b、c１、c２における前記配光部材２の断面図。
【図１６】実施形態４である照明器具の動作時における、床面９上の光の移動の様子を表す模式図。
【発明を実施するための形態】
【００１６】
以下、図面を参照しながら本願発明の実施形態について説明する。
【００１７】
（実施形態１）
図１〜４は実施形態１にかかる照明器具を示している。
【００１８】
この照明器具は、光源１と、光源１からの光を透過させる板状の配光部材２と、光源１と配光部材２の相互の配置関係を変化させる駆動部３とを備え、配光部材２は屈折方向が異なるプリズム４を複数備え、駆動部３が駆動することにより光源１からの光が配光部材２において透過するプリズム４を変えることで光の照射方向を変化させるものであることを特徴とする。
【００１９】
また、この照明器具の配光部材２はプリズム４の配置パターンが異なるレンズ部５を複数有し、駆動部３により配光部材２を変位させ前記レンズ部５を切り替えることで光の照射方向を変化させるものであることを特徴とする。
【００２０】
また、この照明器具は配光部材２を略円筒形にしてその円筒周方向に複数のレンズ部５を配設するとともにその中心軸まわりに回動自在とし、光源１を配光部材２の内側に設け、配光部材２を回動させることでレンズ部５を切り替えるものであることを特徴とする。
【００２１】
また、この照明器具の駆動部３はモーター６からなり、モーター６の駆動に伴い光源１を消灯しモーター６の停止に伴い光源１を点灯させるものであることを特徴とする。
【００２２】
以下、実施形態１のより具体的な説明を行う。
【００２３】
光源１は例えば一又は複数の蛍光灯、ＨＩＤ、ＬＥＤ等からなる。光源１の前面に光を集中させる為のレンズを設置してもよい。
【００２４】
配光部材２は一又は二以上のレンズ部５を有する。レンズ部５は屈折方向が異なるプリズム４を複数備えている。プリズム４の配置パターンによって一つのレンズ部５で多様な配光パターンを実現することができる。
【００２５】
プリズム４の配置パターンはプリズム４の並び方と角度の選択によってさまざまなバリエーションが考えられる。
【００２６】
例えば図２の５B部のように直線状の稜線を有する各プリズム４を円筒の中心軸に平行となるように配置する。その際、隣接するプリズム４間で斜面の傾斜角度がレンズ部５Ｂの中心から見て漸増または漸減するようなプリズム４の配置パターンを選択することで図４ｂのような配光パターンを実現することができる。
【００２７】
また、例えば図２の５A、５C部のように各プリズム４の稜線が、中心を同じくする楕円弧状になるよう配置する。その際、楕円弧の中心からの方位に応じて各プリズム４の斜面の傾斜角度がレンズ部５Ａ、Ｃの中心から端部にかけて漸増または漸減するようなプリズム４の配置パターンを選択することで図４ａ、ｃのような配光パターンを実現することができる。なお、円は楕円の下位概念なので、当然のことながら楕円弧状の配置には円弧状の配置も含まれる。さらに当然のことながら、光が透過する部分の稜線の配置が楕円弧状であればよいので、全体としては稜線が楕円そのものを描いていても上記の効果は生じうる。
【００２８】
駆動部３が駆動することにより配光部材２が回動し、光源１と配光部材２の相互の配置関係を変化させ、光源１からの光が透過するレンズ部５を変位させることで光の照射方向を変化させるものである。なお本実施形態では配光部材２はレンズ部５を３個有することとしたが、本願発明はこれに限られないことは勿論である。１又は２以上のレンズ部５を有していれば当該効果は生じうる。
【００２９】
ここにおいて、本実施形態のように、配光部材２が円筒周方向に前記複数のレンズ部５を配設する場合、配光部材２をモーター６で回動させることによりレンズ部５の切り替えを容易に行うことができる。さらに配光部材２を複数搭載する必要もなくなるため、容易な構造となり、部品点数の低減を図ることができる。また、照明器具全体の小型化を図ることもできる。
【００３０】
なお本実施形態では板状の配光部材２を湾曲させて端部を接続し略円筒形とした上でこれを回動させることとしたが、本願発明はこれに限られないことは勿論である。例えば端部が接続されること無く単に湾曲したＵ字型の板状の配光部材２を回動させても、本願発明の目的は達成できるし、あるいは平板状に伸ばした配光部材２を平行移動させることによっても本願発明の目的は達成できる。
【００３１】
駆動部３はモーター６からなり、モーター６の駆動に伴い光源１を消灯しモーター６の停止に伴い光源１を点灯させるものである。光の照射方向の変化を視認する必要がない場合において、所望する方向にのみ光を照射することが可能となる。なお、モーター６の駆動を検知する検知器を設けてもよい。また、本実施形態では駆動部３はモーター６からなることとしたが、本願発明はこれに限られないことは勿論である。例えば人力からなる駆動部３であっても本願発明の目的は達成できる。
【００３２】
本実施形態によれば、一つの駆動部３と一つの配光部材２で光の照射方向を変化させることができ、部品点数の軽減を図ることができる。また、一つの配光部材２に複数のレンズ部５を配設することで、部品点数の軽減を図ることができる。また、配光部材２を円筒周方向に回動させることによりレンズ部５の切り替えを容易に行うことができる。また、駆動部３をモーター６とし、モーター６の駆動、停止に伴い、光源１を消灯、点灯することで光の照射部分の移動を見えないようにすることができる。
（実施形態２）
図５〜８は実施形態２にかかる照明器具を示している。
【００３３】
この照明器具は、配光部材２を略円盤形にしてその円盤周方向に複数のレンズ部５を配設するとともにその中心軸まわりに回動自在とし配光部材２を回動させることでレンズ部５を切り替えるものであるという点で、実施形態１に記載した照明器具と相違するがその他の構成は同様である。
【００３４】
以下、実施形態２のより具体的な説明を行う。
【００３５】
前記実施形態１に記載した照明器具と同様、配光部材２は一又は二以上のレンズ部５を有する。レンズ部５は屈折方向が異なるプリズム４を複数備えている。プリズム４の配置パターンによって一つのレンズ部５で多様な配光パターンを実現することができる。
【００３６】
プリズム４の配置パターンはプリズム４の並び方と角度の選択によってさまざまなバリエーションが考えられる。
【００３７】
例えば図６の５B部のように直線状の稜線を有する各プリズム４を放射状に配置する。その際、図７の５Ｂのように隣接するプリズム４間で斜面の傾斜角度がレンズ部５Ｂの中心から見て漸増または漸減するようなプリズム４の配置パターンを選択することで図８ｂのような配光パターンを実現することができる。
【００３８】
また、例えば図６の５A、５C部のように直線状の稜線を有する各プリズム４を平行に配置する。その際、配光部材２の中心からの方位に応じて各プリズム４の斜面の傾斜角度が各レンズ部５Ａ、Ｃの中心から端部にかけて漸増または漸減するようなプリズム４の配置パターンを選択することで図８ａ、ｃのような配光パターンを実現することができる。
【００３９】
本実施形態によれば、配光部材２を円盤周方向に回動させることによりレンズ部５の切り替えを容易に行うことができる。また、配光部材２を湾曲させる必要も無い為、製造も容易となる。
（実施形態３）
図９〜１２は実施形態３にかかる照明器具を示している。
【００４０】
この照明器具は、駆動部３により光源１を変位させることで光源１からの光が配光部材２において透過するプリズム４を変えるものであることを特徴とする。
【００４１】
また、この照明器具は、光源１と、光源１からの光を透過させる板状の配光部材２と、光源１と配光部材２の相互の配置関係を変化させる駆動部３とを備え、配光部材２は屈折方向が異なるプリズム４を複数備え、駆動部３が駆動することにより光源１からの光が配光部材２において透過するプリズム４を変えることで光の照射方向を変化させるものであることを特徴とし、また、駆動部３はモーター６からなり、モーター６の駆動に伴い光源１を消灯しモーター６の停止に伴い光源１を点灯させるものであることを特徴とする点で前記実施形態１及び２の照明器具と同様である。
【００４２】
以下、実施形態３のより具体的な説明を行う。
【００４３】
光源１は駆動部３と接続されており渦巻状のレール７に沿って移動する。駆動部３は光源１がレール７に沿って走行する為の歯車８と給電部９を備えている。駆動部３により光源１をレール７に沿って変位させ、光源１と配光部材２の相互の配置関係を変化させることで光源１からの光が配光部材２において透過するプリズム４を変え、光の照射方向を変化させるものである。なお本実施形態のように光源１は渦巻状のレール７に沿って変位することとしたが、本願発明はこれに限られないことは勿論である。例えばジグザグ状のレール７に沿って変位させることによっても本願発明の目的は達成できる。
【００４４】
前記実施形態１に記載した照明器具と同様、配光部材２はレンズ部５を有する。レンズ部５は屈折方向が異なるプリズム４を複数備えている。プリズム４の配置パターンによって一つのレンズ部５で多様な配光パターンを実現することができる。
【００４５】
プリズム４の配置パターンはプリズム４の並び方と角度の選択によってさまざまなバリエーションが考えられる。
【００４６】
例えば図１０のように略円状の稜線を有する各プリズム４を同心円状に配置する。その際、図１１のように隣接するプリズム４間で斜面の傾斜角度がレンズ部５の中心から端部にかけて漸増または漸減するようなプリズム４の配置パターンを選択することで、本実施形態のように光源１は渦巻状のレール７に沿って変位する場合において図１２のような配光パターンを実現することができる。
【００４７】
本実施形態によれば、配光部材２に複数のレンズ部５を設けることなく、多様な配光パターンを実現することができ、製造容易となる。
（実施形態４）
図１３〜１６は実施形態４にかかる照明器具を示している。
【００４８】
この照明器具は、直線状に設けられた光源１ａ、ｂ、ｃと備え、配光部材２を光源１のならび方向に平行な軸を中心に湾曲させ、光源１のならび方向に前記複数のレンズ部５を配設するとともに光源１のならび方向まわりに回動自在とする点で、前記実施形態１に記載した照明器具と相違するがその他の構成は同様である。
【００４９】
以下実施形態４のより具体的な説明を行う。
【００５０】
配光部材２は光源１と同じ数のレンズ部５を有する。レンズ部５は屈折方向が異なるプリズム４を複数備えている。プリズム４の配置パターンによって一つのレンズ部５で多様な配光パターンを実現することができる。
【００５１】
プリズム４の配置パターンはプリズム４の並び方と角度の選択によってさまざまなバリエーションが考えられる。
【００５２】
例えば図１４の５B部のように直線状の稜線を有する各プリズム４を光源１のならび方向と平行に配置する。その際、隣接するプリズム４間で斜面の傾斜角度がレンズ部５Ｂの中心から見て漸増または漸減するようなプリズム４の配置パターンを選択することで図１６ｂのような配光パターンを実現することができる。
【００５３】
また、例えば図１４の５A、５C部のように各プリズム４の稜線が、中心を同じくする楕円弧状になるよう配置する。その際、楕円弧の中心からの方位に応じて各プリズム４の斜面の傾斜角度がレンズ部５Ａ、Ｃの中心から端部にかけて漸増または漸減するようなプリズム４の配置パターンを選択することで図１６ａ、ｃのような配光パターンを実現することができる。なお、前述のとおり、当然のことながら楕円弧状の配置には円弧状の配置も含まれ、稜線が楕円そのものを描いていても上記の効果は生じうる。
【００５４】
本願発明は、上記のように構成してなるので、複雑な配光パターンを一つの配光部材２と一つの駆動部３で実現することができる。これにより部品点数を低減することができ、器具の小型化を実現することができる。
【符号の説明】
【００５５】
１  光源
２  配光部材
３  駆動部
４  プリズム
５  レンズ部
６  モーター
７  レール
８  歯車
９  給電部
１０  床面
【図１】
2012094306.tif 000003
【図２】
2012094306.tif 000004
【図３】
2012094306.tif 000005
【図４】
2012094306.tif 000006
【図５】
2012094306.tif 000007
【図６】
2012094306.tif 000008
【図７】
2012094306.tif 000009
【図８】
2012094306.tif 000010
【図９】
2012094306.tif 000011
【図１０】
2012094306.tif 000012
【図１１】
2012094306.tif 000013
【図１２】
2012094306.tif 000014
【図１３】
2012094306.tif 000015
【図１４】
2012094306.tif 000016
【図１５】
2012094306.tif 000017
【図１６】
2012094306.tif 000018